(57)【要約】【課題】占有スペースを小さくしつつ、光源の放熱性が悪化することを抑制できる発光装置を提供すること。【解決手段】光源３０と、光源３０を駆動する駆動回路２０と、光源３０から発生された熱を放熱するヒートシンク１０とを備える発光装置１００である。ヒートシンク１０は、光源３０が搭載された放熱ブロック１１と、放熱ブロック１１から突出して設けられた複数の放熱フィン１２と二つの取付フィン１３とを備えている。取付フィン１３は、駆動回路２０が取り付けられた取付部１３ａと、取付部１３ａと放熱ブロック１１とを接続している熱遮断部としての接続部１３ｂとを有している。【選択図】図２
2014154391.tif 000002
【特許請求の範囲】
【請求項１】
光源（３０）と、
前記光源を駆動する駆動回路（２０）と、
前記光源から発生された熱を放熱するためのものであり、前記光源が搭載された放熱ブロック（１１）と、該放熱ブロックから突出して設けられた少なくとも一つのフィン（１２，１３，１３ｃ，１３ｄ）とを含むヒートシンク（１０）と、
を備える発光装置であって、
前記フィンは、前記駆動回路が取り付けられた取付フィン（１３，１３ｃ，１３ｄ）を少なくとも一つ含むものであり、
前記取付フィンは、前記駆動回路と前記放熱ブロックとの間における熱伝達を遮断する熱遮断部（１３ｃ，１３ｂ，１３ｅ）を含むことを特徴とする発光装置。
【請求項２】
前記取付フィン（１３）は、前記駆動回路が取り付けられた取付部（１３ａ）と、前記取付部と前記放熱ブロックとを接続している前記熱遮断部としての接続部（１３ｂ）とを有し、
前記接続部は、前記取付フィンが突出する方向に直交する断面の面積が、前記取付部における前記放熱フィンが突出する方向に直交する断面の面積よりも狭く設けられていることで、前記駆動回路と前記放熱ブロックとの間における熱伝達を遮断していることを特徴とする請求項１に記載の発光装置。
【請求項３】
前記取付フィン（１３ｄ）は、前記駆動回路が取り付けられた取付部（１３ａ）と、前記取付部と前記放熱ブロックとを接続している前記熱遮断部としての接続部（１３ｅ）とを有し、
前記接続部は、前記取付部よりも熱伝達率が低い材料で設けられていることで、前記駆動回路と前記放熱ブロックとの間における熱伝達を遮断していることを特徴とする請求項１に記載の発光装置。
【請求項４】
前記フィンは、前記取付フィン（１３ｃ）に加えて、前記駆動回路が取り付けられていない放熱フィン（１２）を少なくとも一つ含むものであり、
前記取付フィンは、自身が前記熱遮断部をなすものであり、前記放熱ブロックから突出する方向に直交する断面の面積が、前記放熱フィンにおける前記放熱ブロックから突出する方向に直交する断面の面積よりも狭く設けられていることで、前記駆動回路と前記放熱ブロックとの間における熱伝達を遮断していることを特徴とする請求項１に記載の発光装置。
【請求項５】
前記取付フィン（１３ｃ）は、自身が前記熱遮断部をなすものであり、前記放熱ブロックから突出する方向に直交する断面の面積が、前記駆動回路における前記フィンが突出する方向に直交する断面の面積よりも狭く設けられていることで、前記駆動回路と前記放熱ブロックとの間における熱伝達を遮断していることを特徴とする請求項１に記載の発光装置。
【請求項６】
前記駆動回路は、前記光源との電気的な接続を行う回路側コネクタ（２２）を有し、
前記ヒートシンクは、前記光源と前記駆動回路との電気的な接続を行う光源側コネクタ（４１，４１ａ）が設けられており、
前記回路側コネクタと前記光源側コネクタとは、互いに向かい合って配置されており、直接接続されていることを特徴とする請求項１乃至５のいずれか一項に記載の発光装置。
【請求項７】
前記駆動回路は、前記光源との電気的な接続を行う回路側コネクタ（２２）を有し、
前記ヒートシンクは、前記光源と前記駆動回路との電気的な接続を行う光源側コネクタ（４１，４１ａ）が設けられており、
前記回路側コネクタと前記光源側コネクタとは、ハーネス２００を介して接続されていることを特徴とする請求項１乃至５のいずれか一項に記載の発光装置。
【請求項８】
前記駆動回路は、前記取付フィンの突出方向に沿ってスライドさせることで、前記取付フィンに取り付けられるものであり、
前記光源側コネクタ（４１ａ）は、自身と前記駆動回路とを位置決めするためのコネクタ側位置決め部（４１ｂ）が設けられており、
前記駆動回路は、前記コネクタ側位置決め部と係合する第１回路側位置決め部（２９）が設けられており、
前記コネクタ側位置決め部と前記第１回路側位置決め部のうち、一方は、前記突出方向に沿って設けられた溝であり、他方は、周辺よりも突出した突出部であることを特徴とする請求項６又は７に記載の発光装置。
【請求項９】
前記ヒートシンクは、二つの前記取付フィンを含むものであり、
前記駆動回路は、二つの前記取付フィンに挟まれて固定されていることを特徴とする請求項１乃至８のいずれか一項に記載の発光装置。
【請求項１０】
前記取付フィンは、自身と前記駆動回路とを位置決めするためのフィン側位置決め部（１４，１５，１６）が設けられており、
前記駆動回路は、前記フィン側位置決め部と係合する第２回路側位置決め部（２３，２６，２７）が設けられていることを特徴とする請求項１乃至９のいずれか一項に記載の発光装置。
【請求項１１】
前記駆動回路は、前記取付フィンに沿ってスライドさせることで、前記取付フィンに取り付けられるものであり、
前記フィン側位置決め部（１４，１６）と前記第２回路側位置決め部（２３，２７）のうち、一方は、前記スライド方向に沿って設けられた溝であり、他方は、周辺よりも突出した突出部であることを特徴とする請求項１０に記載の発光装置。
【請求項１２】
前記フィン側位置決め部（１５）と前記第２回路側位置決め部（２６）のうち、一方は、周辺よりも窪んだ凹部であり、他方は、周辺よりも突出した突出部であることを特徴とする請求項１０に記載の発光装置。
【請求項１３】
前記駆動回路は、本体部（２１）と、前記本体部とともに前記取付フィンを挟む込む挟込部（２４，２８）とを備え、前記本体部と前記挟込部とで前記取付フィンを挟み込むことで、前記取付フィンに取り付けられていることを特徴とする請求項１乃至９のいずれか一項に記載の発光装置。
【請求項１４】
前記駆動回路は、スリット部（２５）が設けられており、前記スリット部に前記取付フィンが差し込まれることで、前記取付フィンに取り付けられていることを特徴とする請求項１乃至９のいずれか一項に記載の発光装置。
【発明の詳細な説明】
【技術分野】
【０００１】
本発明は、発光装置に関するものである。
【背景技術】
【０００２】
従来、発光装置の一例として、特許文献１に開示された照明装置がある。照明装置は、装置本体、光源基板にＬＥＤが実装された光源、電源装置（駆動回路）を具備する。装置本体は、底壁、上端が開放された基板収容部を底壁とともに区画し一部に平らな側壁部を有して底壁から起立された環状側壁、及び側壁部の外面に一体に突設されて縦方向に延びる複数の放熱フィンを備える。そして、光源は、装置本体における底壁の下面に密接して配置されている。駆動回路は、基板収容部に配設されている。
【先行技術文献】
【特許文献】
【０００３】
【特許文献１】特開２００９−６４６３６号公報
【発明の概要】
【発明が解決しようとする課題】
【０００４】
上述の照明装置は、点灯時に光源のＬＥＤが発熱する。このＬＥＤの熱は、光源基板から装置本体に伝えられて、この装置本体から大気中に放出されるので、各ＬＥＤの温度上昇を抑制できる。また、照明装置は、装置本体に、駆動回路も一体に設けられているため、装置本体と駆動回路とを別体に設けるよりも占有スペースを小さくすることができる。
【０００５】
しかしながら、照明装置は、光源が取り付けられた装置本体に、駆動回路も一体に設けられている。通常、この駆動回路に関しても動作時に発熱する。このため、装置本体には、光源の熱と、駆動回路の熱とが伝達されることになる。よって、照明装置は、光源の放熱性が悪化するという問題がある。
【０００６】
本発明は、上記問題点に鑑みなされたものであり、占有スペースを小さくしつつ、光源の放熱性が悪化することを抑制できる発光装置を提供することを目的とする。
【課題を解決するための手段】
【０００７】
上記目的を達成するために本発明は、
光源（３０）と、
光源を駆動する駆動回路（２０）と、
光源から発生された熱を放熱するためのものであり、光源が搭載された放熱ブロック（１１）と、放熱ブロックから突出して設けられた少なくとも一つのフィン（１２，１３，１３ｃ，１３ｄ）とを含むヒートシンク（１０）と、を備える発光装置であって、
フィンは、駆動回路が取り付けられた取付フィン（１３，１３ｃ，１３ｄ）を少なくとも一つ含むものであり、
取付フィンは、駆動回路と放熱ブロックとの間における熱伝達を遮断する熱遮断部（１３ｃ，１３ｂ，１３ｅ）を含むことを特徴とする。
【０００８】
このように、光源は、ヒートシンクの放熱ブロックに搭載されている。よって、光源が発熱した際の熱は、放熱ブロックを介して放熱される。また、放熱ブロックは、取付フィンが設けられており、この取付フィンに駆動回路が取り付けられている。このように、本発明である発光装置は、放熱ブロックに駆動回路が一体に設けられているため、放熱ブロックと駆動回路とが別体に設けられているよりも、占有スペースを小さくすることができる。さらに、駆動回路が取り付けられた取付フィンは、駆動回路と放熱ブロックとの間における熱伝達を遮断する熱遮断部が設けられている。このため、駆動回路から放熱ブロックへの熱伝達が抑えられ、光源の放熱性を悪化することを抑制できる。
【０００９】
さらに、取付フィン（１３）は、駆動回路が取り付けられた取付部（１３ａ）と、取付部と放熱ブロックとを接続している熱遮断部としての接続部（１３ｂ）とを有するものであってもよい。そして、この接続部は、取付フィンが突出する方向に直交する断面の面積が、取付部における放熱フィンが突出する方向に直交する断面の面積よりも狭く設けられていることで、駆動回路と放熱ブロックとの間における熱伝達を遮断するようにしてもよい。
【００１０】
この接続部は、取付フィンが突出する方向に直交する断面の面積が、取付部における放熱フィンが突出する方向に直交する断面の面積よりも狭く設けられている。よって、接続部は、取付部よりも熱伝導率が小さいものとすることができる。従って、駆動回路から放熱ブロックへの熱伝達が抑えられ、光源の放熱性を悪化することを抑制できる。このように、取付部と取付部よりも断面積が狭い接続部とを有する取付フィンを採用することによって、簡単な構成で駆動回路から放熱ブロックへの熱伝達が抑えられる。
【図面の簡単な説明】
【００１１】
【図１】実施形態における発光装置（取付前）の概略構成を示す斜視図である。
【図２】実施形態における発光装置（取付後）の概略構成を示す斜視図である。
【図３】図２の上面図である。
【図４】図３の前面図である。
【図５】図３の側面図である。
【図６】変形例１における発光装置の概略構成を示す上面図である。
【図７】変形例１における発光装置の概略構成を示す前面図である。
【図８】変形例１における発光装置の概略構成を示す側面図である。
【図９】変形例２における発光装置の概略構成を示す上面図である。
【図１０】変形例２における発光装置の概略構成を示す前面図である。
【図１１】変形例２における発光装置の概略構成を示す側面図である。
【図１２】変形例３における発光装置の概略構成を示す上面図である。
【図１３】変形例３における発光装置の概略構成を示す前面図である。
【図１４】変形例３における発光装置の概略構成を示す側面図である。
【図１５】変形例４における発光装置の概略構成を示す上面図である。
【図１６】変形例４における発光装置の概略構成を示す前面図である。
【図１７】変形例４における発光装置の概略構成を示す側面図である。
【図１８】変形例５における発光装置の概略構成を示す上面図である。
【図１９】変形例５における発光装置の概略構成を示す前面図である。
【図２０】変形例５における発光装置の概略構成を示す側面図である。
【図２１】変形例６における発光装置の概略構成を示す上面図である。
【図２２】変形例６における発光装置の概略構成を示す前面図である。
【図２３】変形例６における発光装置の概略構成を示す側面図である。
【図２４】変形例７における発光装置の概略構成を示す上面図である。
【図２５】変形例７における発光装置の概略構成を示す前面図である。
【図２６】変形例７における発光装置の概略構成を示す側面図である。
【図２７】変形例８における発光装置の概略構成を示す上面図である。
【図２８】変形例８における発光装置の概略構成を示す前面図である。
【図２９】変形例８における発光装置の概略構成を示す側面図である。
【図３０】変形例９における発光装置の概略構成を示す上面図である。
【図３１】変形例９における発光装置の概略構成を示す前面図である。
【図３２】変形例９における発光装置の概略構成を示す側面図である。
【図３３】変形例１０における発光装置の概略構成を示す上面図である。
【図３４】変形例１０における発光装置の概略構成を示す前面図である。
【図３５】変形例１０における発光装置の概略構成を示す側面図である。
【図３６】変形例１１における発光装置の概略構成を示す上面図である。
【図３７】変形例１１における発光装置の概略構成を示す前面図である。
【図３８】変形例１１における発光装置の概略構成を示す側面図である。
【図３９】変形例１２における発光装置の概略構成を示す上面図である。
【図４０】変形例１２における発光装置の概略構成を示す前面図である。
【図４１】変形例１２における発光装置の概略構成を示す側面図である。
【図４２】変形例１３における発光装置の概略構成を示す上面図である。
【図４３】変形例１３における発光装置の概略構成を示す前面図である。
【図４４】変形例１３における発光装置の概略構成を示す側面図である。
【図４５】変形例１４における発光装置の概略構成を示す上面図である。
【図４６】変形例１４における発光装置の概略構成を示す前面図である。
【図４７】変形例１４における発光装置の概略構成を示す側面図である。
【発明を実施するための形態】
【００１２】
以下、本発明の実施形態を図に基づいて説明する。
【００１３】
本発明は、図１〜図５に示すように、光源３０と、光源３０を駆動する駆動回路２０と、放熱手段であるヒートシンク１０とを備える発光装置１００である。発光装置１００は、駆動回路２０が光源３０を駆動（点灯制御）することによって、光源３０から光を照射するものである。光源３０は、発光時に発熱するものである。また、駆動回路２０は、光源３０を動作中に発熱するものである。よって、発光装置１００は、ヒートシンク１０の放熱ブロック１１に光源３０が搭載されており、ヒートシンク１０の取付フィン１３に駆動回路２０が取り付けられている。この発光装置１００は、例えば車両の前照灯や、その他の照明装置に適用することができる。
【００１４】
なお、図１は、ヒートシンク１０に駆動回路２０を取り付ける前の斜視図である。一方、図２は、ヒートシンク１０に駆動回路２０を取り付けた後の斜視図である。また、図３は、図２の発光装置１００を矢印III方向から見た場合の図面である。図４は、図２の発光装置１００を矢印ＩＶ方向から見た場合の図面である。図５は、図２の発光装置１００を矢印Ｖ方向から見た場合の図面である。また、図１，図２では、図面を見やすくするために位置決め凸部１４と位置決め凹部２３を省略している。
【００１５】
図３〜図５では、図面を見やすくするために放熱フィン１２を省略している。同様に、以下の変形例１〜１４の図面である図６〜図４７でも図示を省略しているが、放熱ブロック１１は、図１や図２などのように、放熱フィン１２が突出して設けられている。ただし、変形例１〜１４の発光装置は、放熱フィン１２が設けられていなくても同様の効果を奏することができる。
【００１６】
ヒートシンク１０は、光源３０から発生された熱を放熱するためのものであり、光源３０が搭載された放熱ブロック１１と、放熱ブロック１１から突出して設けられた少なくとも一つのフィン（１２，１３）とを含む。本実施形態では、フィンとして、複数（ここでは六つ）の放熱フィン１２と、二つの取付フィン１３を採用している。なお、発光装置１００は、放熱ブロック１１に設けられた複数の放熱フィンの一部を、取付フィン１３として用いていると言い換えることができる。
【００１７】
放熱ブロック１１は、金属からなるものであり、一例として六面体形状を採用している。光源３０は、この放熱ブロック１１に搭載されている。また、放熱ブロック１１には、光源３０に加えて、コネクタモジュール４０も搭載されている。コネクタモジュール４０は、光源３０と駆動回路２０との電気的な接続を行うためのコネクタ４１を含むものである。このコネクタ４１は、本発明の特許請求の範囲における光源側コネクタに相当するものであり、例えば金属製の端子の周りに樹脂製のカバーが設けられている。なお、コネクタ４１は、ＬＥＤを含む光源３０側のコネクタであるため、ＬＥＤコネクタと称することもできる。
【００１８】
放熱ブロック１１は、一面から放熱フィン１２と取付フィン１３とが突出して設けられている。つまり、放熱ブロック１１における放熱フィン１２が設けられている面と、放熱ブロック１１における取付フィン１３が設けられている面は、同じ面である。なお、放熱ブロック１１の放熱フィン１２と取付フィン１３とが設けられている面は、フィン形成面とも称する。
【００１９】
そして、放熱フィン１２は、互いに所定の間隔をあけて並べられている。更に、取付フィン１３は、互いに所定の間隔をあけて並べられ、且つ、放熱フィン１２と所定の間隔をあけて並べられている。このように、複数の放熱フィン１２と二つの取付フィン１３は、所定の間隔毎に設けられている。
【００２０】
放熱フィン１２と取付フィン１３は、金属（例えば放熱ブロック１１と同じ金属）からなるものである。また、ここでは、一例として、放熱ブロック１１の平坦面（フィン形成面）から垂直に、平板状の放熱フィン１２と、取付フィン１３とが突出して設けられている例を採用している。ただし、本発明はこれに限定されるものではない。なお、放熱フィン１２は、周知技術であるため詳しい説明は省略する。
【００２１】
取付フィン１３は、駆動回路２０が取り付けられているフィンである。取付フィン１３は、駆動回路２０が取り付けられた取付部１３ａと、取付部１３ａと放熱ブロック１１とを接続している接続部１３ｂとを有している。ここでは、一例として、平板状の取付部１３ａと、平板状の接続部１３ｂとを有している取付フィン１３を採用している。ただし、接続部１３に関しては、一部に位置決め凸部１４が設けられている。
【００２２】
図１などに示すように、接続部１３ｂは、取付フィン１３が突出する方向に直交する断面の面積が、取付部１３ａにおける放熱フィン１３が突出する方向に直交する断面の面積よりも狭く設けられている。この断面は、フィン形成面に平行な面である。つまり、取付フィン１３は、Ｔ字形状をなしている。なお、接続部１３ｂは、取付部１３ａよりも細いと言い換えることができる。さらに、接続部１３ｂは、取付フィン１３の根元と言い換えることができる。よって、取付フィン１３は、駆動回路２０が取り付けられた取付部１３ａと、取付部１３ａよりも細い根元を介して放熱ブロック１１と一体になっていると、言い換えることができる。なお、以下、取付フィン１３が突出する方向に直交する断面の面積を単に断面積とも称する。
【００２３】
このようにすることによって、接続部１３ｂは、取付部１３ａよりも熱伝導率が小さいものとすることができる。従って、駆動回路２０から放熱ブロック１１への熱伝達が抑えられ、光源３０の放熱性を悪化することを抑制できる。つまり、取付フィン１３は、駆動回路２０と放熱ブロック１１との間における熱伝達を遮断する熱遮断部としての接続部１３ｂを有していると言い換えることができる。このように、取付部１３ａと取付部１３ａよりも断面積が狭い接続部１３ｂとを有する取付フィン１３を採用することによって、簡単な構成で駆動回路２０から放熱ブロック１１への熱伝達が抑えられる。
【００２４】
なお、上述のように、熱遮断部としての接続部１３ｂは、取付部１３ａよりも熱伝導率が低く、駆動回路２０で発せられた熱が放熱ブロック１１に伝達されることを抑制する。よって、本発明の特許請求の範囲における熱遮断部は、熱伝達抑制部と言い換えることもできる。
【００２５】
さらに、取付フィン１３は、図４，図５に示すように、後ほど説明する位置決め凹部２３と係合する位置決め凸部１４が設けられている。この位置決め凸部１４と位置決め凹部２３とは、駆動回路２０と取付フィン１３とを位置決めするための構成要素である。位置決め凸部１４は、本発明の特許請求の範囲におけるフィン側位置決め部に相当する。位置決め凸部１４は、取付フィン１３における自身（位置決め凸部１４）の周辺よりも突出した突出部である。
【００２６】
また、位置決め凸部１４として、スライド方向に沿って設けられた凸部を採用している。つまり、位置決め凸部１４は、スライド方向に直線状に設けられている。しかしながら、位置決め凸部１４は、これに限定されるものではなく、位置決め凹部２３と係合する凸部であれば採用することができる。なお、このスライド方向とは、ヒートシンク１０に駆動回路２０を取り付ける際の、取付フィン１３に対する駆動回路２０の移動方向である。ヒートシンク１０に対する駆動回路２０の取付方法に関して後ほど説明する。
【００２７】
コネクタ４１は、一例として、取付フィン１３の突出方向を向いて設けられている例を採用している。これは、駆動回路１０が取付フィン１３に取り付けられた状態で、後ほど説明するコネクタ２２とコネクタ４１とが向かい合うようにするためである。
【００２８】
光源３０は、発光素子としてＬＥＤ（Light Emitting Diode）を含む。例えば、光源３０は、光源基板にＬＥＤが実装され、ＬＥＤにワイヤなどが接続されてモジュール化されている。よって、光源３０は、ＬＥＤモジュールと称することもできる。
【００２９】
駆動回路２０は、ＬＥＤを点灯制御するための回路素子と、この回路素子を封止するモールド樹脂とを含む本体部２１を備えて構成されている。また、駆動回路２０は、光源１０と電気的な接続を行うためのコネクタ２２を備えて構成されている。コネクタ２２は、本発明の特許請求の範囲における回路側コネクタに相当するものであり、例えば金属製の端子の周りに樹脂製のカバーが設けられている。
【００３０】
なお、本体部２１は、ＬＥＤを点灯制御するものであるため、ＬＤＭ（LED Driver Module）と称することもできる。よって、コネクタ２２は、ＬＤＭコネクタと称することもできる。さらに、駆動回路２０は、本体部２１とコネクタ２２とがモジュール化されたものであり、ＬＤＭモジュールと称することもできる。
【００３１】
駆動回路２０は、上述のように、取付フィン１３に取り付けられている。詳述すると、駆動回路２０は、二つの取付フィン１３に挟まれて固定されている。また、二つの取付フィン１３は、放熱フィン１２に挟まれて設けられている。よって、駆動回路２０は、放熱フィン１２間に設けられていると、言い換えることもできる。
【００３２】
なお、図３，図４に示すように、駆動回路２０は、接着材５０によって取付フィン１３に固定されている。ただし、本発明は、これに限定されるものではない。駆動回路２０は、接着材５０によらずに取付フィン１３に固定されるものであってもよい。
【００３３】
駆動回路２０は、図４，図５に示すように、上述の位置決め凸部１４と係合する位置決め凹部２３が設けられている。位置決め凹部２３は、本発明の特許請求の範囲における第２回路側位置決め部に相当するものである。位置決め凹部２３は、詳述すると本体部２１に設けられた溝である。さらに、位置決め凹部２３は、スライド方向に沿って設けられた溝である。そして、位置決め凹部２３は、スライド方向に直線状に設けられている。なお、発光装置１００は、取付フィン１３に位置決め用の出っ張りが設けられており、駆動回路２０に位置決め用の溝が設けられていると言い換えることもできる。
【００３４】
ここで、ヒートシンク１０と駆動回路２０との取り付け方法（組み付け方法）に関して説明する。発光装置１００は、図１のように別体であるヒートシンク１０と駆動回路２０とが組み付けられて構成されている。ヒートシンク１０に駆動回路２０を取り付ける際には、図１のように、ヒートシンク１０と駆動回路２０とが分離された状態から、駆動回路２０を取付フィン１３に沿ってスライドさせる。このようにして、図２に示すように、取付フィン１３に駆動回路２０を取り付ける。このように、本実施形態においては、放熱ブロック１１に対する取付フィン１３の突出方向に沿って駆動回路２０をスライドさせて、取付フィン１３に駆動回路２０を取り付ける例を採用している。
【００３５】
なお、本実施形態では、駆動回路２０は、二つの取付フィン１３に取り付けられている例を採用している。このため、本実施形態では、駆動回路２０を二つの取付フィン１３に沿ってスライドさせる。このようにして、二つの取付フィン１３の間に駆動回路２０を取り付ける。言い換えると、本実施形態では、二つの取付フィン１３間に、駆動回路２０を差し込んで、二つの取付フィン１３の間に駆動回路２０を取り付ける。
【００３６】
好ましくは、二つの取付フィン１３間に駆動回路２０を圧入する。この場合、駆動回路２０は、二つの取付フィン１３に取り付けられた状態において、二つの取付フィン１３から応力を受けることになる。このようにすると、二つの取付フィン１３に対して、駆動回路２０を強固に固定することができる。
【００３７】
また、駆動回路２０は、このように取付フィン１３に取り付ける場合、位置決め凹部２３に位置決め凸部１４が挿入された状態でスライドされる。よって、駆動回路２０は、この位置決め凹部２３と位置決め凸部１４とによって、取付フィン１３に対する高さ方向（上下方向）の位置決めがなされる。言い換えると、発光装置１００は、位置決め凹部２３と位置決め凸部１４とによって、コネクタ２２とコネクタ４１との位置決めがなされる。なお、上下方向とは、放熱ブロック１１から取付フィン１３が突出する方向に対して直交し、且つ、取付フィン１３に並行な方向である。
【００３８】
さらに、駆動回路２０を取付フィン１３に取り付ける場合、コネクタ２２は、コネクタ４１と向かい合った（対向した）状態でスライドされる。そして、コネクタ２２とコネクタ４１とは、駆動回路２０が取付フィン１３に取り付けられた状態では、互いに向かい合って配置されており、直接接続（直挿し）されている。例えば、コネクタ２２とコネクタ４１とは、互いに嵌合することで、機械的及び電気的に接続されている。
【００３９】
このように、発光装置１００は、コネクタ２２とコネクタ４１とを直接接続されているので、駆動回路２０と光源３０とを電気的に接続するためのハーネスを用いる必要がない。よって、発光装置１００は、部品点数を減らすことができる。また、上述のように、駆動回路２０は、二つの取付フィン１３に挟まれて固定されている。よって、このように、コネクタ２２とコネクタ４１とを直接接続した場合であっても、コネクタ２２とコネクタ４１への応力集中を緩和することができる。
【００４０】
また、駆動回路２０は、ヒートシンク１０に取り付けられた状態では、本体部２１が取付フィン１３の取付部１３ａに固定されており、且つコネクタ２２がコネクタ４１に直接接続されている。つまり、駆動回路２０は、放熱ブロック１１と接触しないように、ヒートシンク１０に取り付けられている。言い換えると、駆動回路２０は、コネクタ４１及び接続部１３ｂを介して、放熱ブロック１１と接続されている。
【００４１】
ここまで説明したように、光源３０は、ヒートシンク１０の放熱ブロック１１に搭載されている。よって、光源３０が発熱した際の熱は、放熱ブロック１０を介して放熱される。また、放熱ブロック１０は、取付フィン１３が設けられており、この取付フィン１３に駆動回路２０が取り付けられている。このように、発光装置１００は、放熱ブロック１１に駆動回路２０が一体に設けられているため、放熱ブロック１１と駆動回路２０とが別体に設けられているよりも、占有スペースを小さくすることができる。さらに、駆動回路２０が取り付けられた取付フィン１３は、駆動回路２０と放熱ブロック１１との間における熱伝達を遮断する熱遮断部である接続部１３ｂが設けられている。このため、駆動回路２０から放熱ブロック１１への熱伝達が抑えられ、光源３０の放熱性を悪化することを抑制できる。
【００４２】
また、本実施形態では、放熱フィン１２間に駆動回路２０が設けられている例を採用した。このため、発光装置１００は、放熱フィン１２間のデッドスペースを有効利用することができ、放熱フィン１２間以外に駆動回路２０を設ける場合よりも、小型化することができる。
【００４３】
なお、本実施形態においては、駆動回路２０にスライド方向に沿って設けられた溝である位置決め凹部２３が設けられ、取付フィン１３に周辺よりも突出した突出部である位置決め凸部１４が設けられた例を採用した。しかしながら、本発明はこれに限定されるものではない。本発明は、取付フィン１３にスライド方向に沿って設けられた溝である位置決め凹部が設けられ、駆動回路２０に周辺よりも突出した突出部である位置決め凸部が設けられていてもよい。このようにしても、上述と同様の効果を奏することができる。
【００４４】
また、本発明は、位置決め凹部２３及び位置決め凸部１４が設けられていなくても目的を達成することができる。
【００４５】
また、本実施形態では、二つの取付フィン１３が設けられている例を採用している。しかしながら、本発明はこれに限定されるものではない。後ほど変形例で説明するが、本発明は、駆動回路２０が取り付けられた取付フィンを少なくとも一つ含むものであればよい。
【００４６】
また、本実施形態では、放熱ブロック１１の一つの面から放熱フィン１２と取付フィン１３とが突出して設けられている例を採用している。しかしながら、本発明はこれに限定されるものではない。本発明は、例えば、放熱ブロック１１の複数の面から、複数の放熱フィン１２及び二つの取付フィン１３が突出して設けられていてもよい。また、本発明は、例えば、本発明は、複数の放熱フィン１２と二つの放熱フィン１３が、放熱ブロック１１から放射状に突出して設けられていてもよい。
【００４７】
また、本実施形態では、複数の放熱フィン１２と、二つの取付フィン１３とが設けられたヒートシンク１０を採用している。しかしながら、本発明はこれに限定されるものではない。本発明は、フィンとして、二つの取付フィン１３のみが設けられたヒートシンク１０であっても目的を達成することができる。
【００４８】
以上、本発明の好ましい実施形態について説明した。しかしながら、本発明は、上述した実施形態に何ら制限されることはなく、本発明の趣旨を逸脱しない範囲において、種々の変形が可能である。
【００４９】
以下、本発明の変形例１〜１４に関して説明する。上述の実施形態及び変形例１〜１４は、夫々単独で実施することも可能であるが、適宜組み合わせて実施することも可能である。なお、以下の変形例では、本実施形態や他の変形例と異なる箇所だけ符号を変更し、本実施形態や他の変形例と同じ箇所は同じ符号を付与して説明を省略する。しかしながら、以下の変形例において、本実施形態と異なる箇所であっても、便宜上、同じ符号を付与することもある。
【００５０】
（変形例１）
上述の発光装置１００は、一つの取付フィン１３に一つの接続部１３ｂが設けられていた。しかしながら、本発明は、これに限定されるものではない。本発明は、図６〜図８に示す変形例１のように、一つの取付フィン１３に複数の接続部１３ｂが設けられていてもよい。つまり、変形例１の発光装置１０１は、一つの取付フィン１３に複数の接続部１３ｂが設けられている。ここでは、一つの取付フィン１３に二つの接続部１３ｂが設けられている例を採用している。この発光装置１０１であっても、上述の発光装置１００と同様の効果を奏することができる。なお、図６は、上述の図３に対応する図面である。図７は、上述の図４に対応する図面である。図８は、上述の図５に対応する図面である。
【００５１】
（変形例２）
本発明は、図９〜図１１に示す変形例２のように、挟込部２４を有する駆動回路２０を備えるものであってもよい。つまり、変形例２の発光装置１０２は、上述の実施形態における位置決め凹部２３及び位置決め凸部１４は設けられておらず、挟込部２４を有する駆動回路２０を備えている。この点で、発光装置１０２は、発光装置１００と異なる。なお、図９は、上述の図３に対応する図面である。図１０は、上述の図４に対応する図面である。図１１は、上述の図５に対応する図面である。
【００５２】
また、このように、変形例２の駆動回路及び取付フィンは、上述の駆動回路２０及び取付フィン１３と異なる点がある。しかしながら、便宜上、変形例２の駆動回路にも、上述の実施形態と同じ符号２０及び１３を付与している。
【００５３】
発光装置１０２の駆動回路２０は、本体部２１と、本体部２１とともに取付フィン１３を挟む込む挟込部２４とを備えて構成されている。詳述すると、本体部２１は、両端（上下方向の両端）に挟込部２４が設けられている。駆動回路２０は、本体部２１と挟込部２４とで取付フィン１３を挟み込むことで、取付フィン１３に取り付けられている。
【００５４】
挟込部２４は、本体部２１における取付部１３ａとの対向面から垂直方向に突出した第１部位２４ａと、この第１部位２４ａから本体部２１における取付部１３ａとの対向面に平行となるように突出した第２部位２４ｂとによって構成されている。つまり、駆動回路２０は、本体部２１と第２部位２４ｂとの間に溝が形成されていると言い換えることができる。
【００５５】
発光装置１０２は、上下の挟込部２４間に取付フィン１３が配置され、且つ、本体部２１と第２部位２４ｂとの間に取付フィン１３が配置された状態で、駆動回路２０をスライドさせて、駆動回路２０を取付フィン１３に取り付ける。よって、挟込部２４は、取付フィン１３が通るレールとして機能するものである。従って、発光装置１０２は、上下の挟込部２４間に取付フィン１３が配置され、且つ、本体部２１と第２部位２４ｂとの間に取付フィン１３が配置された状態で、取付フィン１３に駆動回路２０が取り付けられている。
【００５６】
この発光装置１０２であっても、上述の発光装置１００と同様の効果を奏することができる。また、発光装置１０２は、位置決め凹部２３及び位置決め凸部１４は設けられていないが、挟込部２４が位置決め凹部２３及び位置決め凸部１４と同様の機能を有する。このため、発光装置１０２であっても、上述の実施形態と同様に、駆動回路２０を取付フィン１３に対して位置決めすることができる。
【００５７】
（変形例３）
上述の発光装置１０２は、二つの挟込部２４が設けられていた。しかしながら、本発明は、これに限定されるものではない。本発明は、図１２〜図１４に示す変形例３のように、挟込部２４が一つだけ設けられていてもよい。つまり、発光装置１０３は、本体部２１の上側の端部のみに挟込部２４が設けられている。
【００５８】
発光装置１０３は、第１部位２４ａが各取付フィン１３の上面に覆いかぶさり、且つ、本体部２１と第２部位２４ｂとの間に取付フィン１３が配置された状態で、駆動回路２０をスライドさせて、駆動回路２０を取付フィン１３に取り付ける。よって、挟込部２４は、取付フィン１３が通るレールとして機能するものである。従って、発光装置１０３は、第１部位２４ａが各取付フィン１３の上面に覆いかぶさり、且つ、本体部２１と第２部位２４ｂとの間に取付フィン１３が配置された状態で、取付フィン１３に駆動回路２０が取り付けられている。この発光装置１０３であっても、発光装置１００及び発光装置１０２と同様の効果を奏することができる。
【００５９】
なお、図１２は、上述の図３に対応する図面である。図１３は、上述の図４に対応する図面である。図１４は、上述の図５に対応する図面である。
【００６０】
（変形例４）
上述の発光装置１００では、断面の面積が異なる取付部１３ａと接続部１３ｂとを有する取付フィン１３を採用した。しかしながら、本発明は、これに限定されるものではない。本発明は、図１５〜図１７に示す変形例４のように、突出方向の全領域において、断面の面積が同じである取付フィン１３ｃを採用することもできる。なお、この断面とは、上述と同様に、フィン形成面に平行な面である。なお、図１５は、上述の図３に対応する図面である。図１６は、上述の図４に対応する図面である。図１７は、上述の図５に対応する図面である。
【００６１】
発光装置１０４は、フィンとして、取付フィン１３ｃに加えて、駆動回路２０が取り付けられていない放熱フィン１２を少なくとも一つ含むものである。つまり、発光装置１０４のヒートシンク１１は、取付フィン１３ｃと、少なくとも一つの放熱フィン１２が設けられている。ここでは、図１６に示すように、四つの取付フィン１３ｃと、複数の放熱フィン１２が設けられたヒートシンク１１を採用している。また、放熱フィン１２と取付フィン１３ｃとは、上述の実施形態と同様に、ヒートシンク１１の一面から突出して設けられている。
【００６２】
この取付フィン１３ｃは、自身が熱遮断部をなすものである。取付フィン１３ｃは、放熱ブロック１１から突出する方向に直交する断面の面積が、放熱フィン１２における放熱ブロック１１から突出する方向に直交する断面の面積よりも狭く設けられている。
【００６３】
このようにすることによって、取付フィン１３ｃは、放熱フィン１２よりも熱伝導率が小さいものとすることができる。従って、取付フィンとして放熱フィン１２と同形状のものを用いるよりも、駆動回路２０から放熱ブロック１１への熱伝達が抑えられ、光源３０の放熱性を悪化することを抑制できる。つまり、取付フィン１３ｃは、駆動回路２０と放熱ブロック１１との間における熱伝達を遮断する熱遮断部をなしている。よって、発光装置１０４であっても、発光装置１００と同様の効果を奏することができる。さらに、発光装置１０４は、放熱フィン１２よりも断面積が狭い取付フィン１３ｃを採用することによって、より一層簡単な構成で駆動回路２０から放熱ブロック１１への熱伝達が抑えられる。
【００６４】
上述のように、取付フィン１３ｃは、自身が熱遮断部をなすものである。そして、取付フィン１３ｃは、放熱ブロック１１から突出する方向に直交する断面の面積が、駆動回路２０（詳述すると本体部２１）におけるフィンが突出する方向に直交する断面の面積よりも狭く設けられている。
【００６５】
これによって、取付フィン１３ｃは、駆動回路２０から放熱ブロック１１への熱伝達を抑えることができる。つまり、取付フィン１３ｃは、駆動回路２０と放熱ブロック１１との間における熱伝達を遮断することができる。よって、発光装置１０４は、発光装置１００と同様の効果を奏することができる。
【００６６】
（変形例５）
上述の発光装置１０４は、四つの取付フィン１３ｃが設けられていた。しかしながら、本発明は、これに限定されるものではない。本発明は、図１８〜図２０に示す変形例５のように、取付フィン１３ｃが二つだけ設けられていてもよい。つまり、発光装置１０５は、二つの取付フィン１３ｃが設けられたヒートシンク１０を備えている。この発光装置１０５であっても、発光装置１０４と同様の効果を奏することができる。
【００６７】
上記点で、発光装置１０５は、発光装置１０４と異なる。なお、図１８は、上述の図３に対応する図面である。図１９は、上述の図４に対応する図面である。図２０は、上述の図５に対応する図面である。
【００６８】
（変形例６）
本発明は、図２１〜図２３に示す変形例６のように、スリット部２５を有する駆動回路２０を備えるものであってもよい。つまり、変形例６の発光装置１０６は、上述の変形例５における挟込部２４は設けられておらず、スリット部２５を有する駆動回路２０を備えている。なお、図２１は、上述の図３に対応する図面である。図２２は、上述の図４に対応する図面である。図２３は、上述の図５に対応する図面である。
【００６９】
発光装置１０６の駆動回路２０は、取付フィン１３ｃが差し込まれるスリット部２５を備えて構成されている。詳述すると、本体部２１は、取付フィン１３ｃとの対向面に、取付フィン１３ｃが挿入可能な空間（スリット）を形成するためのスリット部２５が設けられている。つまり、本体部２１は、取付フィン１３ｃとの対向面と、スリット部２５との間に、取付フィン１３ｃが挿入可能な空間が形成されている。駆動回路２０は、スリット部２５に取付フィン１３ｃが差し込まれることで、取付フィン１３ｃに取り付けられている。
【００７０】
この発光装置１０６であっても、上述の発光装置１００や発光装置１５と同様の効果を奏することができる。また、発光装置１０６は、位置決め凹部２３及び位置決め凸部１４は設けられていないが、スリット部２５が位置決め凹部２３及び位置決め凸部１４と同様の機能を有する。このため、発光装置１０６であっても、上述の実施形態や変形例５と同様に、駆動回路２０を取付フィン１３ｃに対して位置決めすることができる。
【００７１】
（変形例７）
本発明は、図２４〜図２６に示す変形例７のように、位置決め凹部１５を有するヒートシンク１０と、位置決め凸部２６を有する駆動回路２０とを備えるものであってもよい。つまり、変形例７の発光装置１０７は、上述の実施形態における位置決め凸部１４及び位置決め凹部２３は設けられておらず、位置決め凹部１５を有するヒートシンク１０及び位置決め凸部２６を有する駆動回路２０を備えている。なお、図２４は、上述の図３に対応する図面である。図２５は、上述の図４に対応する図面である。図２６は、上述の図５に対応する図面である。なお、図２４では、一部の位置決め凸部２６及び位置決め凹部１５は省略している。
【００７２】
発光装置１０７の取付フィン１３は、後ほど説明する位置決め凸部２６と係合する位置決め凹部１５が設けられている。この位置決め凹部１５と位置決め凸部２６とは、駆動回路２０と取付フィン１３とを位置決めするための構成要素である。位置決め凹部１５は、本発明の特許請求の範囲におけるフィン側位置決め部に相当するものである。詳述すると、位置決め凹部１５は、取付フィン１３における自身の周辺よりも窪んだ凹部である。そして、位置決め凹部１５は、取付フィン１３（取付部１３ａ）におけるスライド方向に沿った複数個所に設けられている。
【００７３】
なお、ここでは、２箇所に位置決め凹部１５が設けられた取付フィン１３を採用している。しかしながら、位置決め凹部１５は、１箇所又は３箇所以上に設けられていてもよい。また、取付フィン１３を厚み方向に貫通した位置決め凹部１５を採用している。しかしながら、位置決め凹部１５は、有底の凹部であってもよい。
【００７４】
発光装置１０７の駆動回路２０は、上述の位置決め凹部１５と係合する位置決め凸部２６が設けられている。位置決め凹部２６は、本発明の特許請求の範囲における第２回路側位置決め部に相当するものである。詳述すると、位置決め凸部２６は、本体部２１に設けられた、周辺よりも突出した突出部である。位置決め凸部２６は、駆動回路２０（本体部２１）におけるスライド方向に沿った複数個所に設けられている。この位置決め凸部２６は、駆動回路２０が取付フィン１３に取り付けた状態では位置決め凹部１５に圧入されることになる。つまり、駆動回路２０は、位置決め凸部２６を位置決め凹部１５に圧入することによって、取付フィン１３に固定される。しかしながら、駆動回路２０と取付フィン１３との固定をより一層強固にするためには、接着材５０を用いると好ましい。
【００７５】
なお、ここでは、２箇所に位置決め凸部２６が設けられた駆動回路２０を採用している。しかしながら、位置決め凸部２６は、１箇所又は３箇所以上に設けられていてもよい。つまり、位置決め凹部１５の個数と位置決め凸部２６の個数は、互いに同じであれば特に限定されるものではない。
【００７６】
この発光装置１０７であっても、上述の発光装置１００と同様の効果を奏することができる。
【００７７】
なお、本実施形態においては、取付フィン１３におけるスライド方向に沿った複数個所に位置決め凹部１５が設けられ、駆動回路２０におけるスライド方向に沿った複数個所に周辺よりも突出した突出部である位置決め凸部２６が設けられた例を採用した。しかしながら、本発明はこれに限定されるものではない。本発明は、駆動回路２０におけるスライド方向に沿った複数個所に位置決め凹部が設けられ、取付フィン１３におけるスライド方向に沿った複数個所に周辺よりも突出した突出部である位置決め凸部が設けられていてもよい。このようにしても、上述と同様の効果を奏することができる。
【００７８】
（変形例８）
上述の発光装置１０７は、位置決め凹部１５及び位置決め凸部２６がスライド方向に沿った複数個所に設けられていた。しかしながら、本発明は、これに限定されるものではない。本発明は、図２７〜図２９に示す変形例８の発光装置１０８のように、取付フィン１３における上下方向に沿った複数個所に位置決め凹部１５が設けられており、駆動回路２０（本体部２１）における上下方向に沿った複数個所に位置決め凸部２６が設けられていてもよい。この発光装置１０８であっても、発光装置１０７と同様の効果を奏することができる。なお、図２７は、上述の図３に対応する図面である。図２８は、上述の図４に対応する図面である。図２９は、上述の図５に対応する図面である。
【００７９】
（変形例９）
本発明は、図３０〜図３２に示す変形例９のように、駆動回路２０と光源３０とはハーネス２００を介して電気的に接続されるものであってもよい。つまり、変形例８の発光装置１０９は、上述の実施形態のようにコネクタ２２とコネクタ４１とは対向しておらず、コネクタ２２とコネクタ４１とを電気的に接続するためのハーネス２００を備えている。
【００８０】
なお、図３０は、上述の図３に対応する図面である。図２３は、上述の図４に対応する図面である。図３２は、上述の図５に対応する図面である。また、図３１、図３２においては、ハーネス２００の図示を省略している。
【００８１】
発光装置１０９の駆動回路２０は、コネクタ２２が放熱ブロック１１とは反対方向を向いて取付フィン１３に取り付けられている。また、ハーネス２００は、例えば図３０に示すように、ケーブル２１０と、ケーブル２１０の一方の端部に設けられた第１コネクタ２２０と、ケーブル２１０の他方の端部に設けられた第２コネクタ２３０とを備えて構成されている。そして、コネクタ２２とコネクタ４１とは、ハーネス２００を介して接続されている。詳述すると、コネクタ２２と第１コネクタ２２０とが機械的及び電気的に接続され、コネクタ４１と第２コネクタ２３０とが機械的及び電気的に接続されることで、コネクタ２２とコネクタ４１とが接続されている。
【００８２】
この発光装置１０９であっても、上述の発光装置１００と同様の効果を奏することができる。さらに、コネクタ２２とコネクタ４１とをハーネス２００で接続することによって、ヒートシンク１０において、取付フィン１３を設ける位置の自由度が向上する。このため、ヒートシンク１０に対する駆動回路２０の搭載自由度も向上する。
【００８３】
（変形例１０）
上述の発光装置１００などでは、二つの取付フィルタ１３に駆動回路２０が取り付けられた例を採用した。しかしながら、本発明は、これに限定されるものではない。本発明は、図３３〜図３５に示す変形例１０のように、一つの取付フィン１３に駆動回路２０が取り付けられていてもよい。発光装置１１０は、例えば、駆動回路２０の取付部１３ａとの取付面と、取付部１３ａの駆動回路２０との取付面とを対向させた状態で、駆動回路２０を取付部１３ａに取り付ける。この発光装置１１０であっても、発光装置１００と同様の効果を奏することができる。なお、図３３は、上述の図３に対応する図面である。図３４は、上述の図４に対応する図面である。図３５は、上述の図５に対応する図面である。
【００８４】
変形例１０では、変形例８で説明した位置決め凹部１５、位置決め凸部２６を備える例を採用している。しかしながら、変形例１０は、これに限定されるものではない。なお、駆動回路２０は、本体部２１における取付フィン１３との対向面のみに、位置決め凸部２６が設けられている。この位置決め凹部２６は、変形例８と同様に、本体部２１における上下方向に沿った複数個所に設けられている。
【００８５】
また、変形例１０では、ハーネス２００によってコネクタ２２とコネクタ４１とを接続する例を採用している。しかしながら、コネクタ２２とコネクタ４１とを直接接続する場合であっても適用することができる。
【００８６】
（変形例１１）
上述の発光装置１００では、駆動回路１０を取付フィン１３の突出方向に沿ってスライドさせて取り付ける例を採用した。しかしながら、本発明は、これに限定されるものではない。本発明は、図３６〜図３８に示す変形例１１のように、駆動回路１０を取付フィン１３に対する高さ方向（上下方向）にスライドさせて取付フィン１３に取り付けるようにしてもよい。この変形例１１の発光装置１１１であっても、発光装置１００と同様の効果を奏することができる。なお、図３６は、上述の図３に対応する図面である。図３７は、上述の図４に対応する図面である。図３８は、上述の図５に対応する図面である。
【００８７】
発光装置１１１の取付フィン１３は、図３８に示すように、後ほど説明する位置決め凹部２７と係合する位置決め凸部１６が設けられている。この位置決め凸部１６と位置決め凹部２７とは、駆動回路２０と取付フィン１３とを位置決めするための構成要素である。位置決め凸部１６は、本発明の特許請求の範囲におけるフィン側位置決め部に相当するものである。位置決め凸部１６は、取付フィン１３における自身の周辺よりも突出した突出部である。
【００８８】
また、位置決め凸部１６として、スライド方向に沿って設けられた凸部を採用している。つまり、位置決め凸部１６は、スライド方向に直線状に設けられている。しかしながら、発光装置１１１は、駆動回路１０を上下方向にスライドさせて取付フィン１３に取り付ける。よって、位置決め凸部１６は、位置決め凸部１４と異なり、取付フィン１３の上下方向に直線状に設けられている。なお、位置決め凸部１６は、これに限定されるものではなく、位置決め凹部２７と係合する凸部であれば採用することができる。
【００８９】
発光装置１１１の駆動回路２０は、図３６，３８に示すように、上述の位置決め凸部１６と係合する位置決め凹部２７が設けられている。位置決め凹部２７は、本発明の特許請求の範囲における第２回路側位置決め部に相当するものである。位置決め凹部２７は、詳述すると本体部２１に設けられた溝である。位置決め凹部２７は、スライド方向に沿って設けられた溝である。つまり、位置決め凹部２７は、スライド方向に直線状に設けられている。よって、位置決め凹部２７は、位置決め凹部２３と異なり、上下方向に直線状に設けられている。
【００９０】
発光装置１１１のコネクタモジュール４０は、図３８に示すように、コネクタ４１が上方を向いて配置されている。よって、駆動回路２０を取付フィン１３に取り付ける際には、コネクタ２２が上方から下方に向かって移動してきて、コネクタ２２とコネクタ４１とが直接接続される。
【００９１】
なお、変形例１１では、位置決め凸部１６と位置決め凹部２７とを備える例を採用している。しかしながら、変形例１１は、これに限定されるものではない。発光装置１１１は、位置決め凸部１６と位置決め凹部２７が設けられていなくてもよい。さらに、発光装置１１１は、変形例７，８で説明した位置決め凹部１５、位置決め凸部２６を採用することもできる。
【００９２】
（変形例１２）
上述の発光装置１００などでは、二つの取付フィルタ１３に駆動回路２０が取り付けられた例を採用した。しかしながら、本発明は、これに限定されるものではない。本発明は、図３９〜図４１に示す変形例１２のように、一つの取付フィン１３に駆動回路２０が取り付けられていてもよい。なお、図３９は、上述の図３に対応する図面である。図４０は、上述の図４に対応する図面である。図４１は、上述の図５に対応する図面である。
【００９３】
発光装置１１２の駆動回路２０は、本体部２１と、本体部２１とともに取付フィン１３を挟み込む挟込部２８とを備えて構成されている。詳述すると、本体部２１は、一方の端部に挟込部２８が設けられている。駆動回路２０は、本体部２１と挟込部２８とで取付フィン１３を挟み込むことで、取付フィン１３に取り付けられている。なお、駆動回路２０は、本体部２１の一つの面のみが取付部１３ａと対向して取り付けられている。
【００９４】
挟込部２８は、本体部２１における取付部１３ａとの対向面から垂直方向に突出した第１部位２８ａと、この第１部位２８ａから本体部２１における取付部１３ａとの対向面に平行となるように突出した第２部位２８ｂとによって構成されている。つまり、駆動回路２０は、本体部２１と第２部位２８ｂとの間に溝が形成されていると言い換えることができる。
【００９５】
発光装置１１２は、第１部位２８ａが取付フィン１３の上面に覆いかぶさり、且つ、本体部２１と第２部位２８ｂとの間に取付フィン１３が配置された状態で、駆動回路２０をスライドさせて、駆動回路２０を取付フィン１３に取り付ける。このように、挟込部２８は、取付フィン１３が通るレールとして機能するものである。従って、発光装置１１２は、第１部位２８ａが取付フィン１３の上面に覆いかぶさり、且つ、本体部２１と第２部位２８ｂとの間に取付フィン１３が配置された状態で、取付フィン１３に駆動回路２０が取り付けられている。
【００９６】
この発光装置１１２であっても、上述の発光装置１００と同様の効果を奏することができる。さらに、発光装置１１２は、挟込部２８を有しているため、上述の実施形態と同様に、駆動回路２０を取付フィン１３に対して位置決めすることができる。
【００９７】
（変形例１３）
上述の発光装置１００では、取付部１３ａと、取付部１３ａよりも断面積が狭い接続部１３ｂとを有する取付フィン１３を採用した。しかしながら、本発明は、これに限定されるものではない。本発明は、図４２〜図４４に示す変形例１３の発光装置１１３のように、取付部１３ａと、取付部１３ａよりも熱伝達率が低い材料で設けられた接続部１３ｅとを有する取付フィン１３ｄを採用してもよい。また、変形例１３では、断面積が取付部１３ａよりも狭い接続部１３ｅを採用している。しかしながら、接続部１３ｅの断面積は、取付部１３ａと同等であってもよい。
【００９８】
この変形例１３の発光装置１１３であっても、発光装置１００と同様の効果を奏することができる。なお、図４２は、上述の図３に対応する図面である。図４３は、上述の図４に対応する図面である。図４４は、上述の図５に対応する図面である。
【００９９】
（変形例１４）
本発明は、図４５〜図４７に示す変形例１４のように、位置決め凸部４１ｂが設けられたコネクタ４１ａと、位置決め凹部２９が設けられた駆動回路２０とを備えるものであってもよい。なお、図４５は、上述の図３に対応する図面である。図４６は、上述の図４に対応する図面である。図４７は、上述の図５に対応する図面である。
【０１００】
コネクタ４１ａは、図４５に示すように、取付フィン１３と同様に突出して設けられている。そして、コネクタ４１ａは、図４５，図４８に示すように、位置決め凹部２９と係合する位置決め凸部４１ｂが設けられている。この位置決め凸部４１ｂは、本発明の特許請求の範囲におけるコネクタ側位置決め部に相当するものである。また、コネクタ４１ｂは、駆動回路２０が取付フィン１３に取り付けられた状態で、コネクタ２２と向かい合って配置され、直接接続されている。なお、位置決め凸部４１ｂは、位置決め凸部１４と同様であるため説明を省略する。
【０１０１】
発光装置１１４の駆動回路２０は、図４６，４８に示すように、上述の位置決め凸部４１ｂと係合する位置決め凹部２９が設けられている。この位置決め凹部２９は、本発明の特許請求の範囲における第１回路側位置決め部に相当するものである。なお、位置決め凹部２９は、位置決め凹部２３と同様であるため説明を省略する。この発光装置１１４であっても、上述の発光装置１００と同様の効果を奏することができる。さらに、発光装置１１４は、位置決め凸部４１ｂと位置決め凹部２９とを備えているため、位置決め凸部１４と位置決め凹部２３とが設けられていなくても、発光装置１００と同様に駆動回路２０を位置決めすることができる。
【０１０２】
なお、本変形例においては、駆動回路２０にスライド方向に沿って設けられた溝である位置決め凹部２９が設けられ、コネクタ４１ａに周辺よりも突出した位置決め凸部４１ｂが設けられた例を採用した。しかしながら、本発明はこれに限定されるものではない。本発明は、コネクタ４１ａにスライド方向に沿って設けられた溝である位置決め凹部が設けられ、駆動回路２０に周辺よりも突出した突出部である位置決め凸部が設けられていてもよい。このようにしても、上述と同様の効果を奏することができる。
【符号の説明】
【０１０３】
１０  ヒートシンク、１１  放熱ブロック、１２  放熱フィン、１３  取付フィン、１３ａ  取付部、１３ｂ  接続部、１４  位置決め凸部、２０  駆動回路、２１  本体部、２２  コネクタ、２３  位置決め凹部、３０  ＬＥＤ、４０  コネクタモジュール、４１  ＬＥＤコネクタ、５０  接着材、１００〜１１４  発光装置
【図１】
2014154391.tif 000003
【図２】
2014154391.tif 000004
【図３】
2014154391.tif 000005
【図４】
2014154391.tif 000006
【図５】
2014154391.tif 000007
【図６】
2014154391.tif 000008
【図７】
2014154391.tif 000009
【図８】
2014154391.tif 000010
【図９】
2014154391.tif 000011
【図１０】
2014154391.tif 000012
【図１１】
2014154391.tif 000013
【図１２】
2014154391.tif 000014
【図１３】
2014154391.tif 000015
【図１４】
2014154391.tif 000016
【図１５】
2014154391.tif 000017
【図１６】
2014154391.tif 000018
【図１７】
2014154391.tif 000019
【図１８】
2014154391.tif 000020
【図１９】
2014154391.tif 000021
【図２０】
2014154391.tif 000022
【図２１】
2014154391.tif 000023
【図２２】
2014154391.tif 000024
【図２３】
2014154391.tif 000025
【図２４】
2014154391.tif 000026
【図２５】
2014154391.tif 000027
【図２６】
2014154391.tif 000028
【図２７】
2014154391.tif 000029
【図２８】
2014154391.tif 000030
【図２９】
2014154391.tif 000031
【図３０】
2014154391.tif 000032
【図３１】
2014154391.tif 000033
【図３２】
2014154391.tif 000034
【図３３】
2014154391.tif 000035
【図３４】
2014154391.tif 000036
【図３５】
2014154391.tif 000037
【図３６】
2014154391.tif 000038
【図３７】
2014154391.tif 000039
【図３８】
2014154391.tif 000040
【図３９】
2014154391.tif 000041
【図４０】
2014154391.tif 000042
【図４１】
2014154391.tif 000043
【図４２】
2014154391.tif 000044
【図４３】
2014154391.tif 000045
【図４４】
2014154391.tif 000046
【図４５】
2014154391.tif 000047
【図４６】
2014154391.tif 000048
【図４７】
2014154391.tif 000049